(57)【特許請求の範囲】
【請求項１】
コンピューティングデバイスのタッチパネルの静電容量式センサと帯電されたオブジェクトとの潜在的な容量性インタラクションを示すデータを前記コンピューティングデバイスの近接センサから受信する段階と、
前記近接センサのデータに応答して、前記静電容量式センサで動作を実行する段階と
を備え、
前記動作は、前記近接センサのデータを受信する段階に応答して、前記タッチパネルの前記静電容量式センサのキャリブレーションを遅延させることを含み、
前記キャリブレーションは、予め定められた間隔で行われ、
前記キャリブレーションの前記遅延は、次のキャリブレーションまで遅延され、
前記近接センサのデータを前記受信する段階の前、前記静電容量式センサは、非アクティブであり、前記動作は、前記近接センサのデータを受信する段階に応答して、前記静電容量式センサをウェイクアップさせることを含み、
前記近接センサは、赤外線センサであり、
前記赤外線センサは、
赤外線エミッタと、
前記タッチパネルの周辺に沿って配置される複数の検出器と
を有し、
前記赤外線エミッタは、複数の赤外線ビームを放出し、
前記複数の赤外線ビームは、ガラスまたはプラスチックである前記タッチパネルを通じて伝搬して前記複数の検出器によって受信される
方法。
【請求項２】
前記帯電されたオブジェクトは、
身体部位、
スタイラス、又は、
それらの任意の組み合わせ
を含む、請求項１に記載の方法。
【請求項３】
近接センシング手段と、
静電容量式センシング手段と、
少なくとも部分的にハードウェアロジックを含むロジックと
を備え、
前記ロジックは、
コンピューティングデバイスのタッチパネルの静電容量式センシング手段と帯電されたオブジェクトとの潜在的な容量性インタラクションを示すデータを前記コンピューティングデバイスの近接センシング手段から受信し、
前記近接センシング手段のデータに応答して、前記静電容量式センシング手段で動作を実行し、
前記動作は、前記近接センシング手段のデータを受信することに応答して、前記タッチパネルの前記静電容量式センシング手段のキャリブレーションを遅延させることを含み、
前記キャリブレーションは、予め定められた間隔で行われ、
前記キャリブレーションの前記遅延は、次のキャリブレーションまで遅延され、
前記近接センシング手段のデータを前記受信する前、前記静電容量式センシング手段は、非アクティブであり、前記動作は、前記近接センシング手段のデータを受信することに応答して、前記静電容量式センシング手段をウェイクアップさせることを含み、
前記近接センシング手段は、赤外線センサであり、
前記赤外線センサは、
赤外線エミッタと、
前記タッチパネルの周辺に沿って配置される複数の検出器と
を有し、
前記赤外線エミッタは、複数の赤外線ビームを放出し、
前記複数の赤外線ビームは、ガラスまたはプラスチックである前記タッチパネルを通じて伝搬して前記複数の検出器によって受信される
コンピューティングデバイス。
【請求項４】
前記帯電されたオブジェクトは、
身体部位、
スタイラス、又は、
それらの任意の組み合わせ
を含む、請求項３に記載のコンピューティングデバイス。
【請求項５】
プロセッサに、
コンピューティングデバイスのタッチパネルの静電容量式センサと帯電されたオブジェクトとの潜在的な容量性インタラクションを示すデータを前記コンピューティングデバイスの近接センサから受信する手順と、
前記近接センサのデータに応答して、前記静電容量式センサで動作を実行する手順と
を実行させ、
前記動作は、前記近接センサのデータを受信する手順に応答して、前記タッチパネルの前記静電容量式センサのキャリブレーションを遅延させることを含み、
前記キャリブレーションは、予め定められた間隔で行われ、
前記キャリブレーションの前記遅延は、次のキャリブレーションまで遅延され、
前記近接センサのデータを前記受信する前、前記静電容量式センサは、非アクティブであり、前記動作は、前記近接センサのデータを受信する手順に応答して、前記静電容量式センサをウェイクアップさせることを含み、
前記近接センサは、赤外線センサであり、
前記赤外線センサは、
赤外線エミッタと、
前記タッチパネルの周辺に沿って配置される複数の検出器と
を有し、
前記赤外線エミッタは、複数の赤外線ビームを放出し、
前記複数の赤外線ビームは、ガラスまたはプラスチックである前記タッチパネルを通じて伝搬して前記複数の検出器によって受信される
プログラム。
【請求項６】
前記動作は、オブジェクトがスキャン領域内にあるとの決定に応答して、前記静電容量式センサをウェイクアップさせることを含む、請求項５に記載のプログラム。
【請求項７】
前記帯電されたオブジェクトは、
身体部位、
スタイラス、又は、
それらの任意の組み合わせ
を含む、請求項５または６に記載のプログラム。
【請求項８】
請求項５から７のいずれか一項に記載のプログラムを格納するコンピュータ可読記録媒体。
【発明の詳細な説明】
【技術分野】
【０００１】
本開示は、概して静電容量式センサに関する。より具体的には、本開示は、近接センサのデータの検出に応答して実行される静電容量式センサの動作を説明する。
【背景技術】
【０００２】
コンピューティングデバイスは、コンピューティングデバイスの、タッチパネルのような、物理的なインタラクションに応答するコンポーネントを含み得る。タッチパネルは、静電容量式センサを組み込み得る。静電容量式センサは、導電体の静電場と、人の指のような帯電されたオブジェクトとのインタラクションに起因して、タッチパネルの導電体における静電容量の変化を検出し得る。いくつかのシナリオにおいて、タッチスクリーンのようなタッチパネルは、静電容量式センサを周期的にキャリブレートする必要があるかもしれない。キャリブレーションのときに、手のような帯電されたオブジェクトがタッチパネルに接触している場合、手が接触している領域は、キャリブレーションの後に、非機能的になり得る。非機能性は、それ以外で生じるよりもキャリブレーション中に、手が領域上に置かれたことに起因して、手が接触する領域により高い静電容量をベースラインとして誤って設定し、その領域により高い静電容量を生成するキャリブレーションの結果として生じる可能性がある。
【図面の簡単な説明】
【０００３】
【図１】静電容量式センサで複数の動作を実行するロジックを有するコンピューティングデバイスのブロック図である。
【０００４】
【図２】近接センサの検出に基づく静電容量式センサでのキャリブレーションの遅延を示すフロー図である。
【０００５】
【図３】近接センサの検出に基づいて静電容量式センサで実行されるウェイクアップを示すフロー図である。
【０００６】
【図４】オブジェクトの存在を検出する赤外線センサを有する例示的なコンピューティングデバイスを示す図である。
【０００７】
【図５】コンピューティングデバイスのタッチスクリーンに加えられる圧力を検出する圧力センサを有する例示的なコンピューティングデバイスを示す図である。
【０００８】
【図６】コンピューティングデバイスのタッチパネルの静電容量式センサと帯電されたオブジェクトとの潜在的な容量性インタラクションを示すデータを受信することに応答して、静電容量式センサで複数の動作を実行する方法を示すブロック図である。
【０００９】
【図７】コンピューティングデバイスのタッチパネルの静電容量式センサと帯電されたオブジェクトとの潜在的な容量性インタラクションを示すデータに応答して、静電容量式センサで動作を実行するように構成される有形の、非一時的なコンピュータ可読媒体の例を示すブロック図である。
【発明を実施するための形態】
【００１０】
本明細書で開示される主題は、静電容量式センサとの潜在的な容量性インタラクションを示すデータを近接センサから受信することに応答して、静電容量式センサで複数の動作を実行するための技術に関する。上述のように、静電容量式のタッチパネルは、キャリブレーションを周期的に要求し得る。キャリブレーション中に、ベースラインの静電容量が決定される。しかしながら、キャリブレーション中に、帯電した外部のオブジェクトが、タッチパネルの静電容量式センサとインタラクトした場合、不正確なベースラインが生じる可能性がある。帯電されたオブジェクトは、ユーザの身体部位、電荷を保持するように構成されるスタイラス等を含んでよい。本明細書で説明される複数の実施形態は、静電容量式センサと潜在的にインタラクトするオブジェクトの存在を検出するように構成される近接センサを含む。複数の動作は、静電容量式センサで行われ、そのようなオブジェクトが検出された場合、キャリブレーションを遅延させることを含む。
【００１１】
いくつかの場合において、静電容量式センサは、近接センサに関連して、比較的多い電力量を消費し得る。そのため、本明細書で説明される更なる実施形態において、近接センサは、潜在的な容量性インタラクションが近接センサにより検出されたときに、静電容量式センサをウェイクアップさせるべく用いられてよい。
【００１２】
図１は、周辺温度を推定するロジックを有するコンピューティングデバイスのブロック図である。コンピューティングデバイス１００は、プロセッサ１０２、非一時的なコンピュータ可読媒体を有するストレージデバイス１０４、及び、メモリデバイス１０６を含んでよい。コンピューティングデバイス１００は、近接センサ１１０からのデータを受信するように構成される検出アプリケーション１０８を含んでよい。
【００１３】
検出アプリケーション１０８は、ロジックであってよく、ロジックは、ハードウェアロジックを少なくとも部分的に有する。いくつかの実施形態において、検出アプリケーション１０８は、ストレージデバイス１０４に格納される複数の命令のセットであり、複数の命令のセットは、プロセッサ１０２により実行されるときに、コンピューティングデバイス１００に、コンピューティングデバイス１００のタッチパネル１１４の静電容量式センサ１１２と帯電されたオブジェクトとの潜在的な容量性インタラクションを示すデータをコンピューティングデバイス１００の近接センサ１１０から受信することを含む複数の動作を実行することを指示する。複数の動作は、近接センサ１１０のデータに応答して、静電容量式センサ１１２で動作を実行することを含む。
【００１４】
近接センサ１１０は、コンピューティングデバイス１００のタッチパネル１１４の近くにあるオブジェクトの存在を検出する、いくつかの様々なタイプのセンサのうち１つであってよい。例えば、図４に関連して以下でより詳細に検討されるように、近接センサ１１０は、電磁場を放出し、オブジェクトが電磁場を妨害したときに、電磁場の変化を検出するように構成される赤外線近接センサであってよい。別の例として、図５に関連して以下でより詳細に検討されるように、近接センサ１１０は、ユーザがタッチパネル１１４に圧力を加えたときを検出するように構成される圧力センサであってよい。いずれかの実施形態において、近接センサ１１０は、静電容量式センサ１１２とインタラクトし得る潜在的に帯電されたオブジェクトの存在を検出するように構成される。
【００１５】
タッチパネル１１４は、ユーザが、タッチパネル１１４で実行されるジェスチャーを通じてコンピューティングデバイス１００とインタラクトすることを可能にするように構成されるコンピューティングデバイス１００の一部であってよい。タッチパネル１１４は、コンピューティングデバイス１００の一体型のコンポーネントであってよく、又は、コンピューティングデバイス１００の外部のコンポーネントであってよい。一例において、タッチパネルは、タッチスクリーンディスプレイデバイスである。別の例において、タッチパネルはタッチパッドである。静電容量式センサ１１２は、インジウムスズ酸化物のような導体要素により被覆されるガラスのパネルのような絶縁体からなる。人の手のような電荷を有するオブジェクトがタッチパネル１１４の表面に触れると、静電容量式センサ１１２による静電容量の変化として、静電場の歪みが測定可能である。
【００１６】
プロセッサ１０２は、格納された複数の命令を実行するように適合されるメインプロセッサである。プロセッサ１０２は、シングルコアプロセッサ、マルチコアプロセッサ、コンピューティングクラスタ又は任意の数の他の構成であってよい。プロセッサ１０２は、複合命令セットコンピュータ（ＣＩＳＣ）プロセッサ又は縮小命令セットコンピュータ（ＲＩＳＣ）プロセッサ、ｘ８６命令セット互換プロセッサ、マルチコア、若しくは、その他のマイクロプロセッサ又は中央処理装置（ＣＰＵ）として実装されてよい。
【００１７】
メモリデバイス１０６は、スタティックランダムアクセスメモリ（ＳＲＡＭ）、ダイナミックランダムアクセスメモリ（ＤＲＡＭ）、ゼロキャパシタＲＡＭ、シリコン−酸化物−窒化物−酸化物−シリコン（ＳＯＮＯＳ）、混載ＤＲＡＭ、拡張データ出力ＲＡＭ、ダブルデータレート（ＤＤＲ）ＲＡＭ、抵抗変化型メモリ（ＲＲＡＭ（登録商標））、パラメータランダムアクセスメモリ（ＰＲＡＭ）等のようなランダムアクセスメモリ（ＲＡＭ）、リードオンリメモリ（ＲＯＭ）（例えば、マスクＲＯＭ、プログラマブルリードオンリメモリ（ＰＲＯＭ）、消去可能プログラマブルリードオンリメモリ（ＥＰＲＯＭ）、電気的消去可能プログラマブルリードオンリメモリ（ＥＥＰＲＯＭ））、フラッシュメモリ、又は、その他の適切なメモリシステムを含むことができる。メインプロセッサ１０２は、システムバス１１６（例えば、ペリフェラルコンポーネントインターコネクト（ＰＣＩ）、業界標準アーキテクチャ（ＩＳＡ）、ＰＣＩ−エクスプレス、ハイパートランスポート、ＮｕＢｕｓ等）を通じて、メモリ１０６、ストレージデバイス１０４、センサ１１０、１１２、タッチパネル１１４等を含む複数のコンポーネントに接続されてよい。
【００１８】
図１のブロック図は、コンピューティングデバイス１００が図１に示されるコンポーネントの全てを含むことを示すように意図されたものではない。コンピューティングデバイス１００は、具体的な実装の詳細に応じて、図１に示されていない任意の数の追加のコンポーネントを含んでよい。更に、図１に示される様々なコンポーネントの構成は、必ずしも本技術の構成を代表するものではない。
【００１９】
図２は、近接センサの検出に基づく静電容量式センサでのキャリブレーションの遅延を示すフロー図である。上述のように、本明細書で説明される技術は、静電容量式センサ１１２と潜在的にインタラクトする可能性があるオブジェクトの存在を検出し、そのようなオブジェクトが検出された場合、キャリブレーションを遅延させるように構成される、図１の近接センサ１１０のような、近接センサを含む。ブロック２０２で、処理２００は、静電容量式センサ１１２のキャリブレーションを開始する。２０４で、処理２００は、静電容量式センサ１１２と帯電されたオブジェクトとの潜在的なインタラクションを示す近接データが検出されるか否かを判断する。静電容量式センサとオブジェクトとの潜在的なインタラクションを示す近接データが検出された場合、次に、ブロック２０６で、キャリブレーションが遅延させられる。例えば、ユーザの手がタッチパネル１１４に接触している場合、キャリブレーションは、進行しない。近接データが検出されない、又は、近接データが静電容量式センサ１１２と帯電されたオブジェクトとの潜在的な容量性インタラクションを示していない場合、２０８でキャリブレーションを進行し、処理は２１０で終了する。
【００２０】
複数の実施形態において、キャリブレーションは、次にスケジューリングされたキャリブレーションまで遅延させられる。いくつかの実施形態において、キャリブレーションは、近接データが、単に静電容量式センサ１１２と帯電されたオブジェクトとの潜在的な容量性インタラクションを示さなくなるまで遅延させられてよい。例えば、キャリブレーションは、手がタッチパネル１１４から離れるまでの間、遅延させられてよい。
【００２１】
図３は、近接センサの検出に基づいて、静電容量式センサで実行されるウェイクアップを示すフロー図である。上述のように、本明細書で説明される複数の実施形態において、近接センサ１１０は、潜在的な容量性インタラクションが近接センサ１１０により検出されたときに、静電容量式センサ１１２をウェイクアップさせるために用いられてよい。３０２で、静電容量式センサ１１２は、アクティブモードで動作するように構成されてよい。アクティブモードにおいて、静電容量式センサ１１２は、静電容量の変化を継続的にモニタする。しかしながら、静電容量の変化について継続的にモニタすることは、不必要に電力を消費する可能性がある。本明細書で説明される複数の実施形態では、３０４で示される、アイドルモードを含む。アイドルモード３０４において、静電容量式センサ１１２は、静電容量の任意の変化についてモニタすることを中断するように構成されてよく、一方、近接センサ１１０が静電容量式センサ１１２と帯電されたオブジェクトとの任意の潜在的な容量性インタラクションについてモニタすることを継続してよい。例えば、アイドルモード中に、近接センサ１１０がタッチパネル１１４でユーザの指を検出した場合、図１の検出アプリケーション１０８のようなロジックは、静電容量式センサ１１２をウェイクアップさせて、アクティブモード３０２で動作させてよい。
【００２２】
図４は、オブジェクトの存在を検出する赤外線センサを有する例示的なコンピューティングデバイスを示す図である。上述のように、近接センサ１１０は、赤外線センサであってよい。赤外線センサは、エミッタ４０２及び、複数の括弧４０４で示される複数の検出器を含んでよい。複数の実施形態において、エミッタ４０２は、複数の検出器４０４により受信される赤外線スペクトル内の電磁放射線の複数のビームを放出してよい。いくつかの場合において、複数の赤外線ビームは、タッチスクリーンディスプレイデバイスのガラス又はプラスチックのような材料を通じて伝搬し得る。複数の検出器４０４の１又は複数により受信された電磁放射線の変化は、潜在的に帯電されたオブジェクトの存在を示し得る。このシナリオにおいて、動作は、図１の静電容量式センサ１１２のような、静電容量式センサで実行されてよい。例えば、キャリブレーション処理中に潜在的に帯電されたオブジェクトの存在が検出された場合、キャリブレーションは、終了されてよく、又は、遅延させられてよい。別の例として、静電容量式センサ１１２がアイドルモードにある場合、近接センサ１１０による潜在的に帯電されたオブジェクトの検出は、静電容量式センサ１１２をアクティブモードに初期化することをトリガしてよい。
【００２３】
図５は、コンピューティングデバイスのタッチスクリーンに加えられる圧力を検出する圧力センサを有する例示的なコンピューティングデバイスを示す図である。図１に関して上述したように、近接センサは、１又は複数の圧力センサ５０２として実装されてよい。図５に示されるように、タッチパネル１１４は、コンピューティングデバイス１００のタッチスクリーンとして実装されてよい。ユーザがタッチパネル１１４を押したときに、圧力センサ５０２は、潜在的に帯電されたオブジェクトがタッチスクリーンとインタラクトすることを示す圧力の変化を検出し得る。図４に関して上述したように、動作は、圧力センサ５０２により検出された圧力変化を示すデータのような近接センサのデータに応答して、図１の静電容量式センサ１１２のような静電容量式センサで実行されてよい。実行され得る動作の一例において、キャリブレーション処理中に圧力が検出された場合、キャリブレーションは、終了されてよく、又は遅延させられてよい。別の例として、静電容量式センサ１１２がアイドルモードにある場合、圧力センサ５０２による圧力の検出は、静電容量式センサをアクティブモードに初期化することをトリガしてよい。
【００２４】
図６は、コンピューティングデバイスのタッチパネルの静電容量式センサと帯電されたオブジェクトとの潜在的な容量性インタラクションを示すデータを受信することに応答して、静電容量式センサで複数の動作を実行する方法を示すブロック図である。ブロック６０２で、コンピューティングデバイスのタッチパネルの静電容量式センサと帯電されたオブジェクトとの潜在的な容量性インタラクションを示すデータが、コンピューティングデバイスの近接センサから受信される。ブロック６０４で、動作は、近接センサのデータに応答して、静電容量式センサで実行される。
【００２５】
複数の実施形態において、６０２で実行される動作は、静電容量式センサのキャリブレーションを終了すること、又は、遅延させることを含む。いくつかの場合において、キャリブレーションが正確な態様で実行され得るように、近接センサのデータが帯電されたオブジェクトとの潜在的な容量性インタラクションがないことを示すまで、遅延は続いてよい。他の場合において、遅延は、予め定められた期間の間延長する。例えば、コンピューティングデバイスは予め定められた間隔で静電容量式センサをキャリブレートするように構成されてよい。このシナリオにおいて、遅延は、次の間隔まで延長するだろう。
【００２６】
いくつかのシナリオにおいて、近接センサのデータの受信前の静電容量式センサは、非アクティブであってよい。このシナリオにおいて、動作は、近接センサのデータを受信することに応答して、静電容量式センサをウェイクアップさせることを含む。
【００２７】
図７は、コンピューティングデバイスのタッチパネルの静電容量式センサと帯電されたオブジェクトとの潜在的な容量性インタラクションを示すデータに応答して、静電容量式センサで動作を実行するように構成される有形の、非一時的なコンピュータ可読媒体の例を示すブロック図である。
【００２８】
有形の、非一時的な、コンピュータ可読媒体７００は、コンピュータバス７０４を介してプロセッサ７０２によりアクセスされてよい。更に、有形の、非一時的な、コンピュータ可読媒体７００は、現在の方法の複数のステップを実行することをプロセッサ７０２に指示するためのコンピュータ実行可能な複数の命令を含んでよい。
【００２９】
図７に示されるように、本明細書で検討される様々なソフトウェアコンポーネントは、有形の、非一時的な、コンピュータ可読媒体７００上に格納されてよい。例えば、電力監視モジュール７０６は、コンピューティングデバイスのタッチパネルの静電容量式センサと帯電されたオブジェクトとの潜在的な容量性インタラクションを示すデータをコンピューティングデバイスの近接センサから受信し、近接センサのデータに応答して、静電容量式センサで動作を実行するように構成されてよい。
【００３０】
実施例１
近接データに基づいて複数の動作を実行するための方法が本明細書で説明される。方法は、コンピューティングデバイスのタッチパネルの静電容量式センサと帯電されたオブジェクトとの潜在的な容量性インタラクションを示すデータをコンピューティングデバイスの近接センサから受信する段階を含む。方法は、近接センサのデータに応答して、静電容量式センサで動作を実行する段階を更に含む。
【００３１】
実施例２
近接データに基づいて複数の動作を実行するためのコンピューティングデバイスが本明細書で説明される。コンピューティングデバイスは、近接センサと静電容量式センサとを含む。コンピューティングデバイスはまた、電子回路のようなハードウェアロジックを少なくとも部分的に含むロジックを含み、ロジックは、コンピューティングデバイスのタッチパネルの静電容量式センサと帯電されたオブジェクトとの潜在的な容量性インタラクションを示すデータをコンピューティングデバイスの近接センサから受信する。ロジックはまた、近接センサのデータに応答して、静電容量式センサで動作を実行するように構成される。
【００３２】
実施例３
近接データに基づいて複数の動作を実行するための非一時的なコンピュータ可読媒体が本明細書で説明される。コンピュータ可読媒体は、処理デバイスにより実行可能な複数のコードを含む。実行されるときに、コードは、処理デバイスに、コンピューティングデバイスのタッチパネルの静電容量式センサと帯電されたオブジェクトとの潜在的な容量性インタラクションを示すデータをコンピューティングデバイスの近接センサから受信させる。コードは、処理デバイスに、近接センサのデータに応答して、静電容量式センサで動作を実行させる。
【００３３】
実施例４
近接データに基づいて動作を実行するための手段が本明細書で説明される。近接データに基づいて動作を実行するための手段は、近接センサと静電容量式センサとを含む。近接データに基づいて動作を実行するための手段はまた、電子回路のようなハードウェアロジックを少なくとも部分的に含むロジックを含み、ロジックは、コンピューティングデバイスのタッチパネルの静電容量式センサと帯電されたオブジェクトとの潜在的な容量性インタラクションを示すデータをコンピューティングデバイスの近接センサから受信する。ロジックはまた、近接センサのデータに応答して、静電容量式センサで動作を実行するように構成される。
【００３４】
実施形態は、実装例又は実施例である。「実施形態」、「一実施形態」、「いくつかの実施形態」、「様々な実施形態」又は「他の実施形態」への本明細書における言及は、実施形態と関連して説明される特定の機能、構造又は特性は、少なくともいくつかの実施形態に含まれるが、これらは、必ずしも本技術の全ての実施形態に含まれる必要がないことを意味する。「実施形態」、「一実施形態」又は「いくつかの実施形態」の様々な表現は、必ずしも全てが同じ実施形態に対して言及しているわけではない。
【００３５】
本明細書で説明され、かつ、示される全てのコンポーネント、機能、構造、特性等は、特定の実施形態又は複数の実施形態に含まれる必要はない。例えば、本明細書で、コンポーネント、機能、構造又は特性が「含まれ得る」、「含まれるかもしれない」、「含まれる可能性がある」又は「含まれることもあり得る」と述べる場合、その特定のコンポーネント、機能、構造又は特性が含まれるべきであることを必要としない。本明細書又は特許請求の範囲が「一の」又は「ある」要素に言及する場合、それは、要素のうち１つのみがあることを意味するものではない。本明細書又は特許請求の範囲が「追加の」要素に言及する場合、それは、追加の要素のうち１つより多い要素があることを除外するものではない。
【００３６】
いくつかの実施形態が特定の実装を参照して説明されてきたが、他の実装がいくつかの実施形態に従って可能であることに留意されたい。更に、複数の図面に示され及び／又は本明細書で説明される複数の回路素子又は他の複数の機能の配置及び／又は順序は、図示され、かつ、説明される特定の態様で構成される必要はない。多くの他の配置は、いくつかの実施形態に従って可能である。
【００３７】
図に示される各システムにおいて、いくつかの場合における複数の要素は、それぞれ、表される複数の要素が異なる及び／又は同様であり得ることを示唆するべく、同じ参照番号又は異なる参照番号を有してよい。しかしながら、要素は、異なる実装を有し、かつ、本明細書で示され、又は、説明されるシステムのいくつか又はシステムの全てとともに機能するのに十分な柔軟性があり得る。複数の図に示される様々な要素が同じであってよく、又は、異なっていてよい。どちらが第１の要素と称され、第２の要素と称されるかは任意である。
【００３８】
前述の複数の例における詳述は、１又は複数の実施形態のどこでも用いられてよいことが理解されるべきである。例えば、上記で説明したコンピューティングデバイスの全てのオプション機能はまた、本明細書で説明される方法又はコンピュータ可読媒体のいずれに対して実装されてよい。更に、フロー図及び／又は状態図は、複数の実施形態を説明するために本明細書で用いられてきたが、複数の技術は、これらの図又は本明細書の対応する説明に限定されない。例えば、フローは、本明細書で示され、かつ、説明されるように、それぞれ示されたボックス又は状態を通じて、若しくは、同じ順序で正確に移動する必要はない。
【００３９】
本技術は、本明細書に列挙される特定の詳細に制限されない。実際には、本開示の利益を得る当業者は、上述の説明及び複数の図面から多くの他の変形が本技術の範囲内で行われてよいことが理解されるだろう。従って、本技術の範囲を規定する以下の特許請求の範囲が任意の補正をこれに含む。
本明細書によれば、以下の各項目に記載の構成もまた開示される。
［項目１］
コンピューティングデバイスのタッチパネルの静電容量式センサと帯電されたオブジェクトとの潜在的な容量性インタラクションを示すデータを前記コンピューティングデバイスの近接センサから受信する段階と、
前記近接センサのデータに応答して、前記静電容量式センサで動作を実行する段階と
を備える方法。
［項目２］
前記動作は、前記近接センサのデータを受信する段階に応答して、前記タッチパネルの前記静電容量式センサのキャリブレーションを遅延させることを含む、項目１に記載の方法。
［項目３］
キャリブレーションは、一定の期間、遅延させられ、前記一定の期間は、
予め定められた期間と、
潜在的な容量性インタラクションを示す前記近接センサのデータが持続することを示す限り延長する期間と、
それらの任意の組み合わせと
を含む、項目２に記載の方法。
［項目４］
前記近接センサのデータを前記受信する段階の前の前記静電容量式センサは、非アクティブであり、前記動作は、前記近接センサのデータを受信する段階に応答して、前記静電容量式センサをウェイクアップさせることを含む、項目１から３の任意の組み合わせに記載の方法。
［項目５］
前記帯電されたオブジェクトは、
身体部位、
スタイラス、又は、
それらの任意の組み合わせ
を含む、項目１から４の任意の組み合わせに記載の方法。
［項目６］
前記近接センサは、
赤外線センサ、
圧力センサ、又は、
それらの任意の組み合わせ
を含む、項目１から５の任意の組み合わせに記載の方法。
［項目７］
前記近接センサは、赤外線センサであり、
前記赤外線センサは、
赤外線エミッタと、
前記タッチパネルの周辺に沿って配置される複数の検出器と
を有する、項目６に記載の方法。
［項目８］
近接センシング手段と、
静電容量式センシング手段と、
少なくとも部分的にハードウェアロジックを含むロジックと
を備え、
前記ロジックは、
コンピューティングデバイスのタッチパネルの静電容量式センシング手段と帯電されたオブジェクトとの潜在的な容量性インタラクションを示すデータを前記コンピューティングデバイスの近接センシング手段から受信し、
前記近接センシング手段のデータに応答して、前記静電容量式センシング手段で動作を実行する
コンピューティングデバイス。
［項目９］
前記動作は、前記近接センシング手段のデータを受信することに応答して、前記タッチパネルの前記静電容量式センシング手段のキャリブレーションを遅延させることを含む、項目８に記載のコンピューティングデバイス。
［項目１０］
キャリブレーションは、一定の期間、遅延させられ、前記一定の期間は、
予め定められた期間と、
潜在的な容量性インタラクションを示す前記近接センシング手段のデータが持続することを示す限り延長する期間と、
それらの任意の組み合わせと
を含む、項目９に記載のコンピューティングデバイス。
［項目１１］
前記近接センシング手段のデータを前記受信する前の前記静電容量式センシング手段は、非アクティブであり、前記動作は、前記近接センシング手段のデータを受信することに応答して、前記静電容量式センシング手段をウェイクアップさせることを含む、項目８から１０の任意の組み合わせに記載のコンピューティングデバイス。
［項目１２］
前記帯電されたオブジェクトは、
身体部位、
スタイラス、又は、
それらの任意の組み合わせ
を含む、項目８から１１の任意の組み合わせに記載のコンピューティングデバイス。
［項目１３］
前記近接センシング手段は、
赤外線センサ、
圧力センサ、又は、
それらの任意の組み合わせ
を含む、項目８から１２の任意の組み合わせに記載のコンピューティングデバイス。
［項目１４］
前記近接センシング手段は、赤外線センサであり、
前記赤外線センサは、
赤外線エミッタと、
前記タッチパネルの周辺に沿って配置される複数の検出器と
を有する、項目１３に記載のコンピューティングデバイス。
［項目１５］
実行されるときに、処理デバイスに、項目１から７の任意の組み合わせに記載の方法に従って複数の動作を実行させるコードを含む非一時的なコンピュータ可読媒体。
［項目１６］
実行されるときに、処理デバイスに、複数の動作を実行させるコードを含む非一時的なコンピュータ可読媒体であって、
前記複数の動作は、
コンピューティングデバイスのタッチパネルの静電容量式センサと帯電されたオブジェクトとの潜在的な容量性インタラクションを示すデータを前記コンピューティングデバイスの近接センサから受信し、
前記近接センサのデータに応答して、前記静電容量式センサで動作を実行することを含む、非一時的なコンピュータ可読媒体。
［項目１７］
前記動作は、
前記近接センサのデータを受信する手順に応答して、前記タッチパネルの前記静電容量式センサのキャリブレーションを遅延させること
前記近接センサのデータを受信する手順に応答して、前記静電容量式センサをウェイクアップさせること、又は
それらの任意の組み合わせ
を含む、項目１５に記載のコンピュータ可読媒体。
［項目１８］
キャリブレーションは、一定の期間、遅延させられ、前記一定の期間は、
予め定められた期間と、
潜在的な容量性インタラクションを示す前記近接センサのデータが持続することを示す限り延長する期間と、
それらの任意の組み合わせと
を含む、項目１６に記載のコンピュータ可読媒体。
［項目１９］
前記近接センサのデータを前記受信する前の前記静電容量式センサは、非アクティブであり、前記動作は、オブジェクトが前記スキャン領域内にあるとの決定に応答して、前記静電容量式センサをウェイクアップさせることを含む、項目１６から１８の任意の組み合わせに記載のコンピュータ可読媒体。
［項目２０］
前記帯電されたオブジェクトは、
身体部位、
スタイラス、又は、
それらの任意の組み合わせ
を含む、項目１６から１９の任意の組み合わせに記載のコンピュータ可読媒体。
［項目２１］
前記近接センサは、
赤外線エミッタ及び前記タッチパネルの周辺に沿って配置される複数の検出器を含む赤外線センサ、
圧力センサ、又は、
それらの任意の組み合わせ
を有する、項目１６から２０の任意の組み合わせに記載のコンピュータ可読媒体。
【図１】
0006519816.tif 000002
【図２】
0006519816.tif 000003
【図３】
0006519816.tif 000004
【図４】
0006519816.tif 000005
【図５】
0006519816.tif 000006
【図６】
0006519816.tif 000007
【図７】
0006519816.tif 000008